(57)【特許請求の範囲】
【請求項１】
他の機器と通信接続する通信接続手段と、
他の機器の機器ＩＤに対応付けて辞書の種類を登録する登録手段と、
前記通信接続手段により他の機器と通信接続された場合に、前記通信接続された他の機器から取得した機器ＩＤに対応する辞書の種類が前記登録手段により登録済であるか否かを判定する判定手段と、
登録済であると判定された場合には、前記取得した機器ＩＤに対応して登録済の種類の辞書を選択し、登録済でないと判定された場合には、新たに指定された種類の辞書を選択するとともに、前記取得した機器ＩＤに対応付けて前記新たに指定された辞書の種類を前記登録手段に登録する選択手段と、
前記通信接続された他の機器から文字列を受信する文字列受信手段と、
前記文字列受信手段により受信された文字列に対応する見出し語の説明情報を前記選択手段により選択された種類の辞書から取得する説明情報取得手段と、
を備えた情報取得装置。
【請求項２】
前記選択手段は、登録済でないと判定された場合に、起動中の辞書を選択するとともに、前記取得した機器ＩＤに対応付けて、起動中の辞書の種類を前記登録手段に新たに登録する、
請求項１に記載の情報取得装置。
【請求項３】
前記登録手段は、複数の機器ＩＤそれぞれに対応付けて、種類の異なる複数の辞書の中からユーザ操作に応じて任意に選択された辞書の種類を登録可能である、
ことを特徴とする請求項１または２に記載の情報取得装置。
【請求項４】
前記他の機器は、電子黒板であり、
前記電子黒板は複数の前記情報取得装置と通信接続され、
前記複数の前記情報取得装置のそれぞれが、前記電子黒板から受信した文字列に対応する見出し語の説明情報を、それぞれの前記情報取得装置に登録されている種類の辞書を用いて取得する、
請求項１乃至３のいずれか一項に記載の情報取得装置。
【請求項５】
前記辞書は、第１言語の見出し語に第２言語の説明情報を対応付けた第１辞書と前記第２言語の見出し語に第１言語の説明情報を対応付けた第２辞書とを含み、
前記説明情報取得手段は、前記文字列受信手段により受信された文字列の文字種が前記第１言語の文字種かまたは前記第２言語の文字種かに応じて、前記受信された文字列に対応する見出し語の説明情報を、前記登録手段により登録された種類の辞書で且つ前記第１辞書または第２辞書から取得して表示部に表示させる、
ことを特徴とする請求項１ないし請求項４の何れか１項に記載の情報取得装置。
【請求項６】
コンピュータを、
他の機器と通信接続する通信接続手段と、
他の機器の機器ＩＤに対応付けて辞書の種類を登録する登録手段と、
前記通信接続手段により他の機器と通信接続された場合に、前記通信接続された他の機器から取得した機器ＩＤに対応する辞書の種類が前記登録手段により登録済であるか否かを判定する判定手段と、
登録済であると判定された場合には、前記取得した機器ＩＤに対応して登録済の種類の辞書を選択し、登録済でないと判定された場合には、新たに指定された種類の辞書を選択するとともに、前記取得した機器ＩＤに対応付けて前記新たに指定された辞書の種類を前記登録手段に登録する選択手段と、
前記通信接続された他の機器から文字列を受信する文字列受信手段と、
前記文字列受信手段により受信された文字列に対応する見出し語の説明情報を前記選択手段により選択された種類の辞書から取得する説明情報取得手段
として機能させるための前記コンピュータ読み込み可能なプログラム。
【発明の詳細な説明】
【技術分野】
【０００１】
本発明は、通信機能を備えた情報取得装置およびその制御プログラムに関する。
【背景技術】
【０００２】
一般に、単語などの言葉の意味や内容を調べる携帯型の電子機器として、電子辞書が利用されている。前記電子辞書は、英和辞書や国語辞書などの各種辞書の辞書データベースを有し、文字入力キーの操作により入力された単語に対応した前記辞書の見出し語を検索し、当該検索された見出し語（単語）に対応付けられた意味などの説明情報を表示させるものである。
【０００３】
一方、次のような通信電子辞書システムが考えられている。
【０００４】
前記通信電子辞書システムは、パーソナルコンピュータ（ＰＣ）などの通信機器の表示部に表示された英文のテキスト上で、ユーザ所望の単語を指定すると、当該指定の単語を赤外線通信により近くの電子辞書へ送信する。そして、前記電子辞書において、前記指定の単語の説明情報を検索し、電子辞書表示モードでは、当該検索された単語とその説明情報をそのまま電子辞書の表示部に表示させ、また、通信機器表示モードでは、前記検索された単語とその説明情報を前記通信機器に送信し当該通信機器の表示部で表示させるものである（例えば、特許文献１参照。）。
【先行技術文献】
【特許文献】
【０００５】
【特許文献１】特許４４９６５８１号公報
【発明の概要】
【発明が解決しようとする課題】
【０００６】
前記通信電子辞書システムを学校の授業等で利用し、教師側の通信機器で指定した単語等の文字列を各生徒の持つ電子辞書に送って、各生徒に知って欲しい単語等とその説明情報を当該各生徒の電子辞書でリアルタイムに表示させることが考えられる。
【０００７】
このような場合、各生徒の電子辞書では、各生徒に固有の状況（使用言語の違い等）に応じて適切な種類の辞書を使用したい場合や異なる授業（学習分野、学習レベル等）毎に適切な種類の辞書を使用したい場合がある。
【０００８】
本発明は、このような課題に鑑みなされたもので、通信接続先の通信機器に応じてユーザに適した種類の辞書で検索した情報を取得することが可能になる情報取得装置およびその制御プログラムを提供することを目的とする。
【課題を解決するための手段】
【０００９】
本発明に係る情報取得装置は、他の機器と通信接続する通信接続手段と、他の機器の機器ＩＤに対応付けて辞書の種類を登録する登録手段と、前記通信接続手段により他の機器と通信接続された場合に、前記通信接続された他の機器から取得した機器ＩＤに対応する辞書の種類が前記登録手段により登録済であるか否かを判定する判定手段と、登録済であると判定された場合には、前記取得した機器ＩＤに対応して登録済の種類の辞書を選択し、登録済でないと判定された場合には、新たに指定された種類の辞書を選択するとともに、前記取得した機器ＩＤに対応付けて前記新たに指定された辞書の種類を前記登録手段に登録する選択手段と、前記通信接続された他の機器から文字列を受信する文字列受信手段と、前記文字列受信手段により受信された文字列に対応する見出し語の説明情報を前記選択手段により選択された種類の辞書から取得する説明情報取得手段と、を備えたことを特徴としている。
【発明の効果】
【００１０】
本発明によれば、通信接続先の通信機器に応じてユーザに適した種類の辞書で検索した情報を取得することが可能になる。
【図面の簡単な説明】
【００１１】
【図１】本発明の情報取得装置を、電子黒板３０Ｂやタブレット端末３０Ｔを用いた授業で利用する場合の実施形態に係る情報取得システムの構成を示す図。
【図２Ａ】前記情報取得装置として機能する通信辞書端末１０の外観構成を示す正面図。
【図２Ｂ】前記情報取得装置として機能するタブレット端末１０Ｔの外観構成を示す正面図。
【図３】前記通信辞書端末１０の電子回路の機能構成を示すブロック図。
【図４】前記情報取得装置（１０／１０Ｔ）による情報表示制御処理を示すフローチャート。
【図５】前記電子黒板３０Ｂを用いた授業における前記通信辞書端末１０Ａ＜ブラジル出身の生徒使用＞の情報表示制御処理に従ったペアリング辞書の登録に伴う表示動作を示す図。
【図６】前記電子黒板３０Ｂを用いた授業における前記通信辞書端末１０Ｂ＜中国出身の生徒使用＞の情報表示制御処理に従ったペアリング辞書の登録に伴う表示動作を示す図。
【図７】前記電子黒板３０Ｂを用いた授業における前記通信辞書端末１０Ｃ＜ペルー出身の生徒使用＞の情報表示制御処理に従ったペアリング辞書の登録に伴う表示動作を示す図。
【図８】前記電子黒板３０Ｂを用いた授業における前記各通信辞書端末１０Ａ，１０Ｂ，１０Ｃのペアリング辞書に従った見出し語検索の表示動作を示す図。
【図９】前記タブレット端末３０Ｔを用いた日本語学校での授業における前記通信辞書端末１０Ａ＜ブラジル出身の生徒使用＞の情報表示制御処理に従ったペアリング辞書の登録に伴う表示動作を示す図。
【図１０】前記タブレット端末３０Ｔを用いた日本語学校での授業における前記通信辞書端末１０Ａ＜ブラジル出身の生徒使用＞のペアリング辞書（日葡辞書）に従った見出し語検索の表示動作を示す図。
【図１１】前記電子黒板３０Ｂを用いた授業における前記通信辞書端末１０Ａ＜ブラジル出身の生徒使用＞のペアリング辞書（たのしいがっこう用語集（ポルトガル語辞書））に従った見出し語検索の表示動作を示す図。
【発明を実施するための形態】
【００１２】
以下図面により本発明の実施の形態について説明する。
【００１３】
図１は、本発明の情報取得装置を、電子黒板３０Ｂやタブレット端末３０Ｔを用いた授業で利用する場合の実施形態に係る情報取得システムの構成を示す図である。
【００１４】
この図１で示す情報取得システムの場合は、前記情報取得装置として機能する通信辞書端末１０（１０Ａ＜ブラジル出身の生徒使用＞，１０Ｂ＜中国出身の生徒使用＞，１０Ｃ＜ペルー出身の生徒使用＞，…）に対して、通信機器３０として機能する電子黒板３０Ｂやタブレット端末３０Ｔを組み合わせて構成される。
【００１５】
前記情報取得装置としての通信辞書端末１０（１０Ａ，１０Ｂ，１０Ｃ）、前記通信機器３０としての電子黒板３０Ｂやタブレット端末３０Ｔは、何れもBluetooth（登録商標）などの近距離無線通信部や屋内wi-fiなどにより相互に通信接続Ｂｔ可能な通信機能を備えている。
【００１６】
前記通信辞書端末１０Ａ＜ブラジル出身の生徒使用＞は、たのしいがっこう用語集（ポルトガル語辞書）を選択して起動しており、前記通信辞書端末１０Ｂ＜中国出身の生徒使用＞は、たのしいがっこう用語集（中国語辞書）を選択して起動しており、前記通信辞書端末１０Ｃ＜ペルー出身の生徒使用＞は、たのしいがっこう用語集（スペイン語辞書）を選択して起動している。
【００１７】
各通信辞書端末１０Ａ，１０Ｂ，１０Ｃにおいて、前記電子黒板３０Ｂ（タブレット端末３０Ｔ）との通信接続Ｂｔが行なわれると、当該通信接続Ｂｔされた電子黒板３０Ｂ（タブレット端末３０Ｔ）の機器ＩＤに対し、前記選択された辞書（ポルトガル語辞書，中国語辞書，スペイン語辞書）がペアリング辞書として対応付けられて登録される。
【００１８】
前記各通信辞書端末１０Ａ，１０Ｂ，１０Ｃにおいて、前記電子黒板３０Ｂ（タブレット端末３０Ｔ）の機器ＩＤに対応付けられたペアリング辞書が登録済みである場合、当該電子黒板３０Ｂ（タブレット端末３０Ｔ）との通信接続Ｂｔに応じて、前記登録済みのペアリング辞書（辞書端末１０Ａはポルトガル語辞書、辞書端末１０Ｂは中国語辞書、辞書端末１０Ｃはスペイン語辞書）が自動で起動される。
【００１９】
そして、図１に示すように、例えば授業で先生が電子黒板３０Ｂ（タブレット端末３０Ｔ）に説明文を書き込んで表示させている状態で、当該説明文中の文字列「けしごむ」を指定して識別表示ｈさせると、当該指定の文字列「けしごむ」のデータが前記通信接続Ｂｔされている各通信辞書端末１０Ａ，１０Ｂ，１０Ｃに送信される。
【００２０】
すると、前記各通信辞書端末１０Ａ，１０Ｂ，１０Ｃにおいて、当該各端末１０Ａ，１０Ｂ，１０Ｃにて起動中のペアリング辞書に基づき、前記電子黒板３０Ｂ（タブレット端末３０Ｔ）から受信された文字列「けしごむ」に対応する見出し語が検索され、辞書端末１０Ａではポルトガル語辞書による見出し語「けしごむ」の説明情報画面Ｇｅｐが、辞書端末１０Ｂでは中国語辞書による見出し語「けしごむ」の説明情報画面Ｇｅｃが、辞書端末１０Ｃではスペイン語辞書による見出し語「けしごむ」の説明情報画面Ｇｅｓが、各端末１０Ａ，１０Ｂ，１０Ｃのタッチパネル付き表示部１５に表示される。
【００２１】
これにより、前記電子黒板３０（タブレット端末３０Ｔ）にて教師が指定した文字列についての説明情報を、各通信辞書端末１０Ａ，１０Ｂ，１０Ｃにおいて、当該各端末１０Ａ，１０Ｂ，１０Ｃそれぞれのユーザに適した言語による説明情報として簡単に表示させることができる。
【００２２】
図２Ａは、前記情報取得装置として機能する通信辞書端末１０の外観構成を示す正面図である。
【００２３】
図２Ｂは、前記情報取得装置として機能するタブレット端末１０Ｔの外観構成を示す正面図である。
【００２４】
前記通信辞書端末１０は、本体ケース１１と蓋体ケース１２とをヒンジ１３を介して開閉可能にした本体構造を有する。前記本体ケース１１の表面には、辞書選択キー１４ａ、文字入力キー１４ｂ、［訳／決定］キー１４ｃ、［戻る／シフト］キー１４ｄ、カーソルキー１４ｅなどを備えたキー入力部１４が設けられる。前記蓋体ケース１２には、その略全面に、バックライト付きのカラー液晶表示画面を有するタッチパネル付き表示部１５が設けられる。
【００２５】
前記タブレット端末１０Ｔは、前記通信辞書端末１０と同様に、前記通信機器３０としての電子黒板３０Ｂやタブレット端末３０Ｔと通信接続Ｂｔ可能な通信機能を有し、その一面側の略全面に、バックライト付きのカラー液晶表示画面を有するタッチパネル付き表示部１５が設けられる。このタッチパネル付き表示部１５は、当該表示部１５に表示されるソフトキーボードやアイコンに基づいてキー入力部１４としても機能する。
【００２６】
前記図２Ａで示す通信辞書端末１０（１０Ａ）は、ブラジル出身の生徒が使用した場合の具体例であって、前記通信機器３０としての電子黒板３０Ｂやタブレット端末３０Ｔとの通信接続Ｂｔに伴い、当該端末１０にて起動中の辞書（たのしいがっこう用語集（ポルトガル語辞書））が前記通信機器３０の機器ＩＤに対応付けられたペアリング辞書として登録された場合に、当該ポルトガル語辞書の辞書検索画面Ｇｐ上にペアリング成功メッセージＭａを表示させた状態を示している。
【００２７】
そして、前記図２Ｂで示すタブレット端末１０Ｔは、前記図２Ａで示した通信辞書端末１０（１０Ａ）のエミュレータである辞書アプリケーションを起動させたエミュレータ画面ＥＭの表示状態を示している。
【００２８】
前記情報取得装置としてタブレット端末１０Ｔを使用する場合、前記見出し語の検索から説明情報の表示を含む辞書検索処理は、当該タブレット端末１０Ｔにインストールされた辞書アプリケーションに従い実行される。なお、この辞書アプリケーションは、当該辞書アプリケーションのタブレット端末１０Ｔへのインストールに伴い内部メモリに記憶された辞書データベースに基づき当該端末１０Ｔ内で前記同様に辞書検索処理を実行するアプリケーションでも良いし、通信ネットワーク上のクラウドサーバ（辞書サーバ）に検索対象の文字列のデータを送信して当該辞書サーバ側で辞書検索処理を実行させ、検索結果の見出し語や説明情報のデータを受信してタッチパネル付き表示部１５に表示させるだけのアプリケーションでも良い。
【００２９】
図３は、前記通信辞書端末１０の電子回路の機能構成を示すブロック図である。
【００３０】
なお、前記タブレット端末１０Ｔの機能構成も前記通信辞書端末１０と同様の構成である。
【００３１】
前記通信辞書端末１０の電子回路は、コンピュータであるＣＰＵ（プロセッサ）１６を備える。このＣＰＵ１６は、フラッシュＲＯＭなどの記憶部１７に予め記憶された情報表示制御プログラム１７ａ、あるいはメモリカードなどの外部記録媒体１８から記録媒体読取部１９により読み取られて前記記憶部１７に記憶された情報表示制御プログラム１７ａ、あるいはインターネットなど外部の通信ネットワーク上のサーバ装置（プログラムサーバ）からダウンロードされ前記記憶部１７に記憶された情報表示制御プログラム１７ａに従って回路各部の動作を制御する。
【００３２】
前記ＣＰＵ（プロセッサ）１６には、前記キー入力部１４、タッチパネル付き表示部１５、記憶部１７、記録媒体読取部１９が接続される他に、前記通信機器３０（３０Ｂ／３０Ｔ）との通信を行なう近距離無線通信部（Bluetooth）３０も接続される。
【００３３】
前記記憶部１７には、前記情報表示制御プログラム１７ａのほか、辞書データベース１７ｂ、ペアリング辞書テーブル１７ｃなどが記憶される。
【００３４】
前記情報表示制御プログラム１７ａとしては、装置全体の動作を司るシステムプログラム、前記通信機器３０（３０Ｂ／３０Ｔ）と連携して当該機器ＩＤに対しユーザが起動した種類の辞書をペアリング辞書として対応付けて登録するための通信機器連携処理プログラム、前述した辞書検索処理を司る辞書アプリケーションプログラムなどが記憶される。
【００３５】
前記辞書データベース１７ｂには、英和／和英辞書、日葡／葡日辞書、日中／中日辞書などの各種の辞書データが記憶されている。これらの辞書データには、何れも、見出し語となる単語，熟語，成句に対応付けてその意味や訳語などの説明情報が集録されている。さらに、前記辞書データベース１７ｂには、たのしいがっこう用語集（ポルトガル語辞書／中国語辞書／スペイン語辞書／フィリピノ語辞書／韓国語辞書／英語辞書／…）も記憶されており、当該用語集の各辞書には、例えば日本の学校生活に必要な１０００語程度の日本語の見出し語に対応付けてその簡単な意味，訳語，絵などの説明情報が集録されている。
【００３６】
前記ペアリング辞書テーブル１７ｃには、本通信辞書端末１０が前記通信機器連携処理プログラムに従い前記通信機器３０（３０Ｂ／３０Ｔ）と通信接続された場合に、当該通信機器３０の機器ＩＤに対応付けて、そのとき起動中の種類の辞書またはユーザにより選択された種類の辞書がペアリング辞書として登録され記憶される。
【００３７】
このように構成された情報取得装置（通信辞書端末１０／タブレット端末１０Ｔ）は、前記ＣＰＵ１６が前記情報表示制御プログラム１７ａに記述された命令に従い回路各部の動作を制御し、ソフトウエアとハードウエアとが協働して動作することにより、以下の動作説明で述べるような、通信機器３０との連携機能と辞書検索機能とを含む情報表示制御機能を実現する。
【００３８】
次に、前記構成の情報取得装置（通信辞書端末１０／タブレット端末１０Ｔ）の動作について説明する。
【００３９】
図４は、前記情報取得装置（１０／１０Ｔ）による情報表示制御処理を示すフローチャートである。
【００４０】
ここでは、前記通信辞書端末１０の動作例について説明する。
【００４１】
（実施例１）
図５は、前記電子黒板３０Ｂを用いた授業における前記通信辞書端末１０Ａ＜ブラジル出身の生徒使用＞の情報表示制御処理に従ったペアリング辞書の登録に伴う表示動作を示す図である。
【００４２】
まず、図５（Ａ）に示すように、前記電子黒板３０Ｂにおいて、ユーザ操作に応じて前記通信辞書端末１０との連携通信用のアプリケーションを起動させ、当該黒板３０Ｂ上に表示された前記通信辞書端末１０とのペアリングメニューＭから「はい」を選択してペアリングの動作を開始させる。これにより、前記電子黒板３０Ｂは、その近距離無線通信機能により前記通信辞書端末１０との通信接続Ｂｔを行なう。
【００４３】
前記通信辞書端末１０Ａ＜ブラジル出身の生徒使用＞において、図５（Ｂ１）に示すように、ユーザ操作に応じて選択された「たのしいがっこう用語集（ポルトガル語辞書）」の辞書検索画面Ｇｐがタッチパネル付き表示部１５に表示された状態で、近距離無線通信部２０を介して、図５（Ａ）に示すように、前記電子黒板３０Ｂとの通信接続Ｂｔが行なわれ、当該電子黒板３０Ｂの機器ＩＤ（ここでは“CES2-G123”）が検出される（ステップＳ１（Ｙｅｓ））。
【００４４】
すると、前記検出された電子黒板３０Ｂの機器ＩＤ“CES2-G123”が前記ペアリング辞書テーブル１７ｃに登録済みであるか否か判断され（ステップＳ２）、登録済みでない場合は（ステップＳ２（Ｎｏ））、図５（Ｂ２）に示すように、ペアリング設定の問合せメニューＭｑが前記辞書検索画面Ｇｐ上に表示され、前記電子黒板３０Ｂ（機器ＩＤ“CES2-G123”）とのペアリングをするか否かがユーザに問い合わせられる（ステップＳ３）。
【００４５】
前記ペアリング設定の問合せメニューＭｑにおいて、ユーザ操作（タッチペンＰ）に応じて「はい」が選択され、現在起動中の辞書をペアリング辞書に登録する指示がされたと判断されると（ステップＳ４（Ｙｅｓ））、当該現在起動中の辞書「たのしいがっこう用語集（ポルトガル語辞書）」が前記検出された電子黒板３０Ｂの機器ＩＤ“CES2-G123”に対応するペアリング辞書として登録され前記ペアリング辞書テーブル１７ｃに記憶される（ステップＳ５）。
【００４６】
すると、図５（Ｂ３）に示すように、ペアリング成功の通知メッセージＭａが前記辞書検索画面Ｇｐ上に表示され、ユーザに対し、前記電子黒板３０の機器ＩＤに対応付けて現在起動中の辞書「たのしいがっこう用語集（ポルトガル語辞書）」が登録されたことが通知される。
【００４７】
（実施例２）
図６は、前記電子黒板３０Ｂを用いた授業における前記通信辞書端末１０Ｂ＜中国出身の生徒使用＞の情報表示制御処理に従ったペアリング辞書の登録に伴う表示動作を示す図である。
【００４８】
前記通信辞書端末１０Ｂ＜中国出身の生徒使用＞において、図６（Ｂ１）に示すように、「たのしいがっこう用語集（英語辞書）」の辞書検索画面Ｇｅがタッチパネル付き表示部１５に表示された状態で、近距離無線通信部２０を介して、図５（Ａ）に示すように、電子黒板３０Ｂとの通信接続Ｂｔが行なわれると、前記同様に、当該電子黒板３０Ｂの機器ＩＤが検出される（ステップＳ１（Ｙｅｓ））。
【００４９】
そして、図５（Ｂ２）に示すように、ペアリング設定の問合せメニューＭｑが前記辞書検索画面Ｇｐ上に表示され、前記電子黒板３０Ｂ（機器ＩＤ“CES2-G123”）に対して、現在の辞書（たのしいがっこう用語集（英語辞書））とペアリングするか、または他の辞書を選択してペアリングするか、またはペアリングをしないかがユーザに問い合わせられる（ステップＳ３）。
【００５０】
前記ペアリング設定の問合せメニューＭｑにおいて、ユーザ操作（タッチペンＰ）に応じて「辞書を選択してペアリングする」が選択され、他の辞書を選択してペアリングする指示がされたと判断されると（ステップＳ３（Ｙｅｓ）→Ｓ４（Ｎｏ））、図６（Ｂ３）に示すように、前記辞書選択キー１４ａのユーザ操作に応じて「たのしいがっこう用語集」が選択されたことに応じて、当該用語集に含まれる各言語の辞書を選択するための「たのしいがっこう」言語選択画面Ｇｍが表示される（ステップＳ６）。
【００５１】
前記「たのしいがっこう」言語選択画面Ｇｍにおいて、前記中国出身であるユーザ操作（タッチペンＰ）に応じて「中国語」がペアリング辞書として選択されると（ステップＳ６）、当該選択された言語の辞書「たのしいがっこう用語集（中国語辞書）」が前記検出された電子黒板３０Ｂの機器ＩＤ“CES2-G123”に対応するペアリング辞書として登録され前記ペアリング辞書テーブル１７ｃに記憶される（ステップＳ７）。
【００５２】
すると、図６（Ｂ４）に示すように、ペアリング成功の通知メッセージＭａが前記登録された「たのしいがっこう用語集（中国語辞書）」の辞書検索画面Ｇｃ上に表示され、ユーザに対し、前記電子黒板３０の機器ＩＤに対応付けて当該辞書「たのしいがっこう用語集（中国語辞書）」が登録されたことが通知される。
【００５３】
（実施例３）
図７は、前記電子黒板３０Ｂを用いた授業における前記通信辞書端末１０Ｃ＜ペルー出身の生徒使用＞の情報表示制御処理に従ったペアリング辞書の登録に伴う表示動作を示す図である。
【００５４】
前記通信辞書端末１０Ｃ＜ペルー出身の生徒使用＞において、「たのしいがっこう用語集（スペイン語辞書）」が起動されている状態で、前記電子黒板３０Ｂと通信接続Ｂｔされると、前記（実施例１）と同様の処理に従い、図７（Ａ）（Ｂ）に示すように、現在起動中の辞書「たのしいがっこう用語集（スペイン語辞書）」が前記電子黒板３０Ｂの機器ＩＤ“CES2-G123”に対応するペアリング辞書として登録される（ステップＳ１〜Ｓ５）。
【００５５】
これにより、前記通信辞書端末１０Ａ＜ブラジル出身の生徒使用＞には、前記電子黒板３０Ｂの機器ＩＤに「たのしいがっこう用語集（ポルトガル語辞書）」が対応付けられて登録され、前記通信辞書端末１０Ｂ＜中国出身の生徒使用＞には、同電子黒板３０Ｂの機器ＩＤに「たのしいがっこう用語集（中国語辞書）」が対応付けられて登録され、前記通信辞書端末１０Ｃ＜ペルー出身の生徒使用＞には、同電子黒板３０Ｂの機器ＩＤに「たのしいがっこう用語集（スペイン語辞書）」が対応付けられて登録される。
【００５６】
図８は、前記電子黒板３０Ｂを用いた授業における前記各通信辞書端末１０Ａ，１０Ｂ，１０Ｃのペアリング辞書に従った見出し語検索の表示動作を示す図である。
【００５７】
前記各通信辞書端末１０Ａ，１０Ｂ，１０Ｃにおいて、図８（Ａ）に示すように、前記電子黒板３０Ｂとの通信接続Ｂｔが行われ、当該電子黒板３０Ｂの機器ＩＤ“CES2-G123”が検出された際に（ステップＳ１（Ｙｅｓ））、当該機器ＩＤに対応付けられたペアリング辞書（端末１０Ａはポルトガル語辞書／１０Ｂは中国語辞書／１０Ｃはスペイン語辞書）が前記ペアリング辞書テーブル１７ｃに登録済みであると判断されると（ステップＳ２（Ｙｅｓ））、当該ペアリング辞書が起動中であるか否か判断される（ステップＳ８）。
【００５８】
前記各通信辞書端末１０Ａ，１０Ｂ，１０Ｃにおいて、前記登録済みのペアリング辞書が起動中でないと判断されると（ステップＳ８（Ｎｏ））、図８（Ｂ１）（Ｂ２）（Ｂ３）に示すように、前記検出された電子黒板３０Ｂの機器ＩＤに対応付けられたペアリング辞書（端末１０Ａはポルトガル語辞書／１０Ｂは中国語辞書／１０Ｃはスペイン語辞書）が起動される（ステップＳ９）。
【００５９】
ここで、前記電子黒板３０Ｂにおいて表示されている文字列（ここでは「けしごむ」）が教師により指定されて識別表示ｈされると、当該指定された文字列「けしごむ」のデータが当該電子黒板３０Ｂと通信接続Ｂｔされている前記各通信辞書端末１０Ａ，１０Ｂ，１０Ｃへ送信される。
【００６０】
前記各通信辞書端末１０Ａ，１０Ｂ，１０Ｃにおいて、前記電子黒板３０Ｂから送信された文字列「けしごむ」のデータが受信されると（ステップＳ１０（Ｙｅｓ））、当該受信された文字列「けしごむ」に対応して、前記電子黒板３０Ｂの機器ＩＤに対応付けて登録されているペアリング辞書の見出し語が検索され、当該検索された見出し語の説明情報が各端末１０Ａ，１０Ｂ，１０Ｃのタッチパネル付き表示部１５に説明情報画面Ｇｅｐ，Ｇｅｃ，Ｇｅｓとして表示される（ステップＳ１１）。
【００６１】
具体的に、前記通信辞書端末１０Ａ＜ブラジル出身の生徒使用＞の場合は、「たのしいがっこう用語集（ポルトガル語辞書）」により検索された見出し語「けしごむ」に対応するポルトガル語の説明情報画面Ｇｅｐが表示され、前記通信辞書端末１０Ｂ＜中国出身の生徒使用＞の場合は、「たのしいがっこう用語集（中国語辞書）」により検索された見出し語「けしごむ」に対応する中国語の説明情報画面Ｇｅｃが表示され、前記通信辞書端末１０Ｃ＜ペルー出身の生徒使用＞の場合は、「たのしいがっこう用語集（スペイン語辞書）」により検索された見出し語「けしごむ」に対応するスペイン語の説明情報画面Ｇｅｓが表示される。
【００６２】
なお、前記ステップＳ８において、前記電子黒板３０Ｂの機器ＩＤに対応付けられて登録済みのペアリング辞書が起動中であると判断された場合（ステップＳ８（Ｙｅｓ））、あるいは、前記説明情報表示処理（ステップＳ１１）の後にユーザによって終了の操作が行われない場合は（ステップＳ１２（Ｎｏ））、前記通信接続Ｂｔ中の電子黒板３０Ｂにて指定される文字列のデータを受信するための待機状態になる（ステップＳ１０）。
【００６３】
このように、前記通信辞書端末１０では、通信接続Ｂｔされた電子黒板３０Ｂに対応付けて当該端末１０のユーザの使用言語に適した種類の辞書をペアリング辞書として登録し、当該登録された辞書により前記電子黒板３０Ｂにて指定された文字列に対応する見出し語の説明情報を直ちに検索して表示できる。
【００６４】
（実施例４）
図９は、前記タブレット端末３０Ｔを用いた日本語学校での授業における前記通信辞書端末１０Ａ＜ブラジル出身の生徒使用＞の情報表示制御処理に従ったペアリング辞書の登録に伴う表示動作を示す図である。
【００６５】
前記日本語学校において、図９（Ｂ１）に示すように、前記通信辞書端末１０Ａ＜ブラジル出身の生徒使用＞により日葡辞書（辞書検索画面Ｇｄｐ）を起動した状態で、当該端末１０Ａが、図９（Ａ）に示すように、ペアリングの動作が開始された教師のタブレット端末３０Ｔと通信接続Ｂｔされると、当該タブレット端末３０Ｔの機器ＩＤが前記端末１０Ａにより検出される（ステップＳ１）。
【００６６】
前記通信辞書端末１０Ａでは、前記（実施例１）（図５参照）と同様に、図９（Ｂ２）（Ｂ３）に示すように、ペアリング設定の問合せメニューＭｑに従い、ペアリングをするユーザ操作が行われることで、前記教師のタブレット端末３０Ｔの機器ＩＤに対応付けられて前記起動中の日葡辞書が登録される（ステップＳ２〜Ｓ５）。
【００６７】
図１０は、前記タブレット端末３０Ｔを用いた日本語学校での授業における前記通信辞書端末１０Ａ＜ブラジル出身の生徒使用＞のペアリング辞書（日葡辞書）に従った見出し語検索の表示動作を示す図である。
【００６８】
図１１は、前記電子黒板３０Ｂを用いた授業における前記通信辞書端末１０Ａ＜ブラジル出身の生徒使用＞のペアリング辞書（たのしいがっこう用語集（ポルトガル語辞書））に従った見出し語検索の表示動作を示す図である。
【００６９】
前記通信辞書端末１０Ａ＜ブラジル出身の生徒使用＞において、前記図９で示したように、日葡辞書が起動されている状態で（ステップＳ１，Ｓ２→Ｓ８（Ｙｅｓ））、図１０（Ａ）に示すように、教師のタブレット端末３０Ｔにて指定された文字列「ゆっくり」のデータが受信されると（ステップＳ１０（Ｙｅｓ））、当該受信された文字列「ゆっくり」に対応して、前記タブレット端末３０Ｔの機器ＩＤに対応付けて登録されている日葡辞書の見出し語が検索され、当該検索された見出し語「ゆっくり」に対応するポルトガル語の説明情報画面Ｇｅｐがタッチパネル付き表示部１５に表示される（ステップＳ１１）。
【００７０】
この後、図１１に示すように、前記電子黒板３０Ｂを用いた授業（図８参照）に再び出席した場合に、前記通信辞書端末１０Ａ＜ブラジル出身の生徒使用＞において、当該電子黒板３０Ｂにて指定された文字列「みずぎ  を  もってくる」のデータが受信されると（ステップＳ１，Ｓ２→Ｓ８〜Ｓ１０（Ｙｅｓ））、同電子黒板３０Ｂの機器ＩＤに対応付けられて登録されているペアリング辞書（たのしいがっこう用語集（ポルトガル語辞書））により前記指定の文字列「みずぎ  を  もってくる」に対応する見出し語が検索され、ポルトガル語による説明情報画面Ｇｅｐが表示される。
【００７１】
したがって、前記構成の情報取得装置（通信辞書端末１０／タブレット端末１０Ｔ）によれば、前記電子黒板３０Ｂやタブレット端末３０Ｔなど、ユーザの状況に応じて異なる相手の各通信機器３０…に対応付けて、それぞれそのユーザの状況に適した異なる種類の辞書を選択的にペアリング辞書として登録することができる。そして、前記異なる状況それぞれの相手の通信機器３０…にて指定された文字列に対応する見出し語の説明情報を、常にその状況に応じた適切な種類の辞書による説明情報として、簡単かつ直ちに検索して表示できるようになる。
【００７２】
なお、前記実施形態の（実施例４）における情報取得装置（通信辞書端末１０）では、通信接続された相手の通信機器（タブレット端末３０Ｔ）の機器ＩＤに対応付けられたペアリング辞書として日葡辞書が登録され、前記タブレット端末３０Ｔにおいて日本語の文字列「ゆっくり」が指定された場合に、当該日本語の文字列「ゆっくり」を見出し語とするポルトガル語の説明情報が検索されて表示される動作例について説明した。これに対し、前記タブレット端末３０Ｔにおいてポルトガル語の文字列が指定され前記通信辞書端末１０に受信された場合は、当該受信された文字列の文字種に応じて前記登録された日葡辞書の逆引き辞書となる葡日辞書が設定され日本語の説明情報が検索されて表示される。
【００７３】
つまり、相手の通信機器３０の機器ＩＤに対応付けて登録されたペアリング辞書が、前記日葡辞書や日英辞書など、ひらがなの見出し語にアルファベットの説明情報を対応付けた辞書である場合、前記通信機器３０から受信された文字列の文字種がひらがなであるときには前記日葡辞書や日英辞書により見出し語検索された説明情報が表示され、また前記通信機器３０から受信された文字列の文字種がアルファベットであるときには前記日葡辞書や日英辞書の逆引き辞書となる葡日辞書や英日辞書により見出し語検索された説明情報が表示される。
【００７４】
なお、前記各実施形態において記載した情報取得装置（通信辞書端末１０／タブレット端末１０Ｔ）による各処理の手法、すなわち、図４のフローチャートに示す情報表示制御処理などの各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の記録媒体に格納して配布することができる。
【００７５】
また、前記各手法を実現するためのプログラムのデータは、プログラムコードの形態として通信ネットワーク上を伝送させることができ、このプログラムデータを、通信ネットワークに接続された電子機器のコンピュータに通信部によって取り込むことで、前述した通信機器３０（３０Ｂ／３０Ｔ）との連携に基づく情報取得装置（１０／１０Ｔ）でのペアリング辞書の登録機能と辞書検索機能を含む情報表示制御機能を実現することもできる。
【００７６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７７】
例えば、前記辞書データベース１７ｂを情報取得装置（１０／１０Ｔ）から削除し、通信ネットワーク上の辞書サーバに前記ペアリング辞書による検索文字（指定の文字列）の辞書検索を依頼し、当該辞書サーバから当該検索文字に対応する辞書の見出し語や説明情報を受信して取得するようにしてもよい。
【００７８】
以下に、本願出願の当初の特許請求の範囲に記載された発明を付記する。
【００７９】
［１］
他の機器と通信接続する通信接続手段と、
前記通信接続手段により通信接続された他の機器の機器ＩＤに対応付けて辞書の種類をユーザ操作に応じて登録可能に構成されている辞書登録手段と、
前記通信接続された他の機器から文字列を受信する文字列受信手段と、
前記文字列受信手段により受信された文字列に対応する見出し語の説明情報を前記辞書登録手段によりユーザ操作に応じて登録された種類の辞書から取得して表示部に表示させる説明情報取得手段と、
を備えたことを特徴とする情報取得装置。
【００８０】
［２］
前記辞書登録手段は、前記通信接続手段により通信接続された他の機器の機器ＩＤ毎に当該機器ＩＤに対応付けて異なる辞書の種類を登録する、
ことを特徴とする［１］に記載の情報取得装置。
【００８１】
［３］
前記辞書登録手段は、前記通信接続手段により他の機器と通信接続された際に、ユーザ操作に応じて起動されている辞書の種類を当該通信接続された他の機器の機器ＩＤに対応付けて登録する、
ことを特徴とする［１］または［２］に記載の情報取得装置。
【００８２】
［４］
前記辞書登録手段は、ユーザ操作に応じて辞書の種類を選択する辞書選択手段を有し、前記通信接続手段により通信接続された他の機器の機器ＩＤに対応付けて前記辞書選択手段により選択された辞書の種類を登録する、
ことを特徴とする［１］または［２］に記載の情報取得装置。
【００８３】
［５］
前記辞書登録手段により登録された種類の辞書は、第１言語の見出し語に第２言語の説明情報を対応付けた第１辞書と当該第２言語の見出し語に第１言語の説明情報を対応付けた第２辞書とを有し、
前記説明情報取得手段は、前記文字列受信手段により受信された文字列の文字種が前記第１言語の文字種かまたは前記第２言語の文字種かに応じて、当該受信された文字列に対応する見出し語の説明情報を、前記辞書登録手段により登録された種類の辞書で且つ前記第１辞書または第２辞書から取得して表示部に表示させる、
ことを特徴とする［１］ないし［４］の何れかに記載の情報取得装置。
【００８４】
［６］
コンピュータを、
他の機器と通信接続する通信接続手段と、
前記通信接続手段により通信接続された他の機器の機器ＩＤに対応付けて辞書の種類を登録する辞書登録手段と、
前記通信接続された他の機器から文字列を受信する文字列受信手段と、
前記文字列受信手段により受信された文字列に対応する見出し語の説明情報を前記辞書登録手段により登録された種類の辞書から取得して表示部に表示させる説明情報取得手段、
として機能させるための前記コンピュータ読み込み可能なプログラム。
【符号の説明】
【００８５】
１０  …情報取得装置（通信辞書端末１０／タブレット端末１０Ｔなど）
１４  …キー入力部
１５  …タッチパネル付き表示部
１６  …ＣＰＵ
１７  …記憶部
１７ａ…情報表示制御プログラム
１７ｂ…辞書データベース
１７ｃ…ペアリング辞書テーブル
１８  …外部記録媒体
１９  …記録媒体読取部
２０  …近距離無線通信部（Bluetooth）
３０  …通信機器（電子黒板３０Ｂ／タブレット端末３０Ｔなど）
【図１】
0006696134.tif 000002
【図２Ａ】
0006696134.tif 000003
【図２Ｂ】
0006696134.tif 000004
【図３】
0006696134.tif 000005
【図４】
0006696134.tif 000006
【図５】
0006696134.tif 000007
【図６】
0006696134.tif 000008
【図７】
0006696134.tif 000009
【図８】
0006696134.tif 000010
【図９】
0006696134.tif 000011
【図１０】
0006696134.tif 000012
【図１１】
0006696134.tif 000013